(57)【要約】      （修正有）【課題】広げて同時に複数の容器等を並べて載置可能で、不使用時には収納可能な、一体型のコースターを提供する。【解決手段】板状体からなる１段目コースター１１上に積層され、外周付近に１段目コースター１１との間に取り付けられた回転軸によって、裏面が１段目コースター１１表面に沿ってスライドするように、回転移動させることで、1段目コースター１１との重複状態と１段目コースター１１からの展開状態の選択が可能な板状体からなる２段目コースター２１と、２段目コースター２１の回転軸から離れた２段目コースター２１の外周付近に設けられ、１段目コースター１１底面までの長さを有する脚２３と、１段目コースター１１と２段目コースター２１の重複状態で、脚２３が位置する付近の１段目コースター１１を表面から裏面に亘り、２段目コースター２１の外周よりも切欠状として脚の収納可能な脚収納部と、を備えるコースター。【選択図】図１
2015019727.tif 000002
【特許請求の範囲】
【請求項１】
板状体からなる１段目コースターと、
１段目コースター上に積層され、外周付近に１段目コースターとの間に取り付けられた回転軸によって、裏面が１段目コースター表面に沿ってスライドするように回転自在とされ、回転移動させることで、1段目コースターとの重複状態と１段目コースターからの展開状態の選択が可能な板状体からなる２段目コースターと、
２段目コースターの回転軸から離れた２段目コースターの外周付近に設けられ、１段目コースター底面までの長さを有する脚と、
１段目コースターと２段目コースターの重複状態で、脚が位置する付近の１段目コースターを表面から裏面に亘り、２段目コースターの外周よりも切欠状として脚の収納可能な脚収納部と、
を備えるコースター。
【請求項２】
１段目コースターに設けられた脚収納部から隣接する外周は、円滑な曲面とする。
を備える請求項１記載のコースター。
【請求項３】
回転軸には、ワッシャーが取り付けられる請求項１又は２記載のコースター。
【請求項４】
１段目コースターと同厚からなるとともに、脚を挿入固定する脚収納部を有する板状体からなる補助コースター、
を備える請求項１又は２又は３記載のコースター。
【発明の詳細な説明】
【技術分野】
【０００１】
本発明は、コースターに係る。詳細には、複数の飲用コップ等を載置するコースターに係る。
【背景技術】
【０００２】
従来コースターは、単体で使用されていた。複数のコースターからなるものとしては特許文献１記載のものが知られている。
特許文献１記載のツーウェイコースターは、「コースターを外枠と内枠の二重構造として、スライド式の中枠に有効設定２時間の市販のアイスパックを入れて保冷コースターとし、また有効設定２時間の市販のカイロを入れて保温コースター」としたものである。
【先行技術文献】
【特許文献】
【０００３】
【特許文献１】実用新案登録第３０８８４１７号公報
【発明の概要】
【発明が解決しようとする課題】
【０００４】
特許文献１記載のツーウェイコースターは、「簡易保冷と簡易保温を両立させるツーウェイコースター」であるため、コースターを外枠と内枠の二重構造とするものであるが、同時に複数の飲み物容器等を載置するコースターではない、課題を有した。
【０００５】
本発明の目的は、
同時に複数の飲み物用容器等を並べて載置可能で、不使用時には場所を取ることなく収納可能な、一体となった複数のコースターを提供することにある。
【課題を解決するための手段】
【０００６】
本発明に係るコースターは、
板状体からなる１段目コースターと、
１段目コースター上に積層され、外周付近に１段目コースターとの間に取り付けられた回転軸によって、裏面が１段目コースター表面に沿ってスライドするように回転自在とされ、回転移動させることで、1段目コースターとの重複状態と１段目コースターからの展開状態の選択が可能な板状体からなる２段目コースターと、
２段目コースターの回転軸から離れた２段目コースターの外周付近に設けられ、１段目コースター底面までの長さを有する脚と、
１段目コースターと２段目コースターの重複状態で、脚が位置する付近の１段目コースターを表面から裏面に亘り、２段目コースターの外周よりも切欠状として脚の収納可能な脚収納部と、
を備える。
【０００７】
さらに、本発明に係るコースターは、
１段目コースターに設けられた脚収納部から隣接する外周は、円滑な曲面とする、
を備える。
【０００８】
さらに、本発明に係るコースターは、
回転軸には、ワッシャーが取り付けられる、
を備える。
【０００９】
さらに、本発明に係るコースターは、
１段目コースターと同厚からなるとともに、脚を挿入固定する脚収納部を有する板状体からなる補助コースター、
を備える。
【発明の効果】
【００１０】
本発明によれば、
２段目コースターを、裏面が１段目コースター表面に沿ってスライドするように回転移動させることで、1段目コースターとの重複状態と、１段目コースターからの展開状態を選択する。
1段目コースターと２段目コースターとの重複状態では、脚収納部に脚は収納される。
1段目コースターと２段目コースターとの展開状態では、脚は、２段目コースターの回転軸から離れた２段目コースターの外周付近に設けられ、１段目コースター底面までの長さを有するため、脚先端は設置面に接触することで、２段目コースターを支持する。
【００１１】
１段目コースターに設けられた脚収納部から隣接する外周は、円滑な曲面とすると、１段目コースターと２段目コースターとの重複状態から展開状態への移行するためのスライド時、あるいは、展開状態から重複状態への移行するためのスライド時に、脚は円滑に１段目コースターの外周を移動する。
回転軸には、ワッシャーが取り付けられた場合は、回転は円滑となる。
１段目コースターと同厚からなるとともに、脚を挿入固定する脚収納部を有する板状体からなる補助コースターを備えた場合は、脚を補助コースターの脚収納部に挿入固定することで、３面のコースターとすることが可能となる。
同時に複数の飲み物用容器等を並べて載置可能で、不使用時には場所を取ることなく収納可能な、一体となった複数のコースターを提供する。
【図面の簡単な説明】
【００１２】
【図１】この発明の実施の形態に係る実施例の斜視図である。
【図２】この発明の実施の形態に係る実施例の展開状態の平面図である。
【図３】この発明の実施の形態に係る実施例の展開状態の正面図である。
【図４】この発明の実施の形態に係る実施例の展開状態の一部拡大正面断面図である。
【図５】この発明の実施の形態に係る実施例の他の使用状態の斜視図である。
【図６】この発明の実施の他の形態に係る実施例の他の使用状態の一部正面拡大図である。
【発明を実施するための形態】
【００１３】
１１は、１段目コースターである。１段目コースター１１は、この実施の形態では、木製板状体からなる。１段目コースター１１は、全体として角が丸くなった四角形からなる。４つの角の内一つは角の削り取りを深くし、切欠状として脚２３の収納可能な脚収納部１２とする。
２１は、２段目コースターである。２段目コースター２１は、１段目コースター１１と、脚収納部１２が設けられていない以外は同形からなり重ねると脚収納部１２以外略一致する。２段目コースター２１は、この実施の形態では、木製の板状体からなり、１段目コースター１１上に積層される。
【００１４】
脚収納部１２は、１段目コースター１１と２段目コースター２１の重複状態で、脚が位置する付近の１段目コースター１１を表面から裏面に亘り、２段目コースター２１の外周よりも切欠状として脚２３を収納可能である。
１段目コースター１１表面は、図１及び図３からあきらかなように、円形状に掘り下げられ、コップ、お銚子、デカンタ等飲み物用容器が載置したとき、１段目コースター１１から落ちないように円形状の周囲がフェンス１５となり落下を防ぐ。円形状に掘り下げられた部分には、同心円状の凸部からなるすべり止め１３ａ、１３ｂを設ける。
【００１５】
１段目コースター１１に設けられた脚収納部１２から隣接する外周は、円滑な曲面とする。そのため、１段目コースター１１と２段目コースター２１との重複状態と展開状態を選択するためのスライド時に、脚は円滑に１段目コースター１１の外周を移動する。
【００１６】
脚収納部１２の対向角である外周付近に回転軸１４が取り付けられる。回転軸１４は、１段目コースター１１と２段目コースター２１とを積層させたときに位置する角付近に取り付けられ両者を連結する。１段目コースター１１との間に取り付けられた回転軸１４によって、２段目コースター２１の裏面が１段目コースター１１の表面に沿ってスライドするように回転自在である。
回転軸１４は、この実施の形態では、木ネジからなる。回転軸１４の木ネジの頭は、ネジ頭隠し１６により表面に露出させないため、見場に優れる。
２段目コースター２１を１段目コースター１１に対して、回転移動させることで、１段目コースター１１との重複状態と１段目コースター１１からの展開状態の選択が可能となる。
【００１７】
回転軸１４には、ワッシャー１７、１８がそれぞれ、１段目コースター１１と２段目コースター２１との間及び、回転軸１４の木ネジの頭と１段目コースター１１との間に取り付けられる。そのため、回転軸１４の回転は円滑となる。
２段目コースター２１表面には、同心円状の凸部からなるすべり止め２２ａ、２２ｂを設ける。
２段目コースター２１の回転軸１４から遠い側の外周には、フェンス２４を設けることなくフェンス２４の無い部分である開放部分２５を設ける。開放部分２５が設けられるため、大きなサイズのコップ、デカンタ等を入れることができまた載置することが可能である。
【００１８】
２３は、脚である。脚２３は、２段目コースター２１の回転軸１４から離れた回転軸１４の取り付けられた角に対向する角付近の、２段目コースター２１の外周付近に設けられ、１段目コースター１１底面までの長さを有する。
脚２３は、回転軸１４の対向する角付近に設けられるため、２段目コースター２１の展開状態では、１段目コースター１１及び２段目コースター２１が載置されるテーブル上で２段目コースター２１を支持する。
【００１９】
３１は、補助コースターである。補助コースター３１は、１段目コースター１１と同厚からなるとともに、脚を挿入固定する円筒状の脚収納部１２を有する板状体からなる。
補助コースター３１を備えた場合は、脚２３を補助コースターの脚収納部１２に挿入固定することで、３面のコースターとすることが可能となる。
【００２０】
本実施の形態によれば、２段目コースター２１を、裏面が１段目コースター１１表面に沿ってスライドするように回転移動させることで、１段目コースター１１との重複状態と、１段目コースター１１からの展開状態を選択する。
１段目コースター１１と２段目コースター２１との重複状態では、脚収納部１２に脚２３は収納される。
１段目コースター１１と２段目コースター２１との展開状態では、脚は、２段目コースター２１の回転軸から離れた２段目コースター２１の外周付近に設けられ、１段目コースター１１底面までの長さを有するため、脚先端は設置面に接触することで、２段目コースター２１を支持する。
【００２１】
本実施の形態では、木製板状体からなるコースターについて説明したが、これに限定されるものではない。例えば、プラスチック製コースターやガラス製コースター、ゴム製コースターとしても良く、素材、形状を限定されるものではない。
【符号の説明】
【００２２】
１１  １段目コースター
１２  脚収納部
１４  回転軸
２１  ２段目コースター
２３  脚
【図１】
2015019727.tif 000003
【図２】
2015019727.tif 000004
【図３】
2015019727.tif 000005
【図４】
2015019727.tif 000006
【図５】
2015019727.tif 000007
【図６】
2015019727.tif 000008